(57)【要約】【課題】前開きの衣服に対し、衣服自体の構成の変更を伴うことなく、必要に応じて特定の機能の付与及び／又はサイズの変更を行うことができる衣服用アタッチメントを提供する。【解決手段】前開きの衣服の前身頃右側と着脱自在に接続される第一接続手段１１０と、前開きの衣服の前身頃左側と着脱自在に接続される第二接続手段１２０と、を備え、前開きの衣服の前身頃の分割部分の間に、第一接続手段１１０及び第二接続手段１２０によって着脱自在に取り付けられる。【選択図】図１
2019206764.tif 000002
【特許請求の範囲】
【請求項１】
前開きの衣服の前身頃右側と着脱自在に接続される第一接続手段と、
前開きの衣服の前身頃左側と着脱自在に接続される第二接続手段と、
を備え、
前開きの衣服の前身頃の分割部分の間に、前記第一接続手段及び前記第二接続手段によって着脱自在に取り付けられることを特徴とする衣服用アタッチメント。
【請求項２】
前記第一接続手段及び前記第二接続手段は、線ファスナーの務歯を備え、
前記第一接続手段及び前記第二接続手段の少なくとも一方は、線ファスナーのスライダーを備え、
前身頃の分割部分に線ファスナーを備えた衣服の当該線ファスナーの間に、前記第一接続手段及び前記第二接続手段によって着脱自在に取り付けられることを特徴とする請求項１に記載の衣服用アタッチメント。
【請求項３】
衣服に取り付けられた状態で衣服内の空間と衣服外の空間とを繋ぐ開口部が形成され、
当該開口部を開閉自在とする開閉手段を備えることを特徴とする請求項１又は２に記載の衣服用アタッチメント。
【請求項４】
前記開口部の位置を変更する位置変更手段を備えることを特徴とする請求項３に記載の衣服用アタッチメント。
【請求項５】
前記開閉手段及び前記位置変更手段は、
複数のスライダーを備え、前記複数のスライダーの間に前記開口部が形成される線ファスナーであることを特徴とする請求項４に記載の衣服用アタッチメント。
【請求項６】
衣服内部に空気を導入する空気導入手段と、
前記空気導入手段に電力を供給する電源手段と、
前記電源手段と、前記空気導入手段と、を接続する接続手段と、
を備えることを特徴とする請求項１から５のいずれか一項に記載の衣服用アタッチメント。
【請求項７】
請求項１から６のいずれか一項に記載の衣服用アタッチメントを備えた衣服。
【請求項８】
前記衣服は空調衣服であることを特徴とする請求項７に記載の衣服。
【発明の詳細な説明】
【技術分野】
【０００１】
本発明は、衣服に取り付けられる衣服用アタッチメント及び衣服に関するものである。
【背景技術】
【０００２】
衣服は、その使用目的に応じて、様々な機能を有する必要があり、また、着用者の体型に応じて様々なサイズに形成される必要があるが、様々な機能、サイズの衣服を逐一用意することは、衣服の着用者及び製作者の両者にとって大きな負担となる。
【０００３】
そこで、日常生活で着用可能なデザインに形成されつつ、必要な場合のみ特定の機能を付与することを可能とした衣服（例えば、特許文献１参照。）や、着用者が形状を変更することを可能とした衣服（例えば、特許文献２参照。）が知られている。
【先行技術文献】
【特許文献】
【０００４】
【特許文献１】特開２０１４−１００４４５号公報
【特許文献２】特開２００３−１１３５１９号公報
【発明の概要】
【発明が解決しようとする課題】
【０００５】
しかしながら、特許文献１及び２に記載の衣服においては、特定の機能の付与や形状の変更を可能とするためには、衣服自体につき構成を変更する必要があることから、付与できる機能や対応可能なサイズには自ずと限界があった。
【０００６】
本発明の課題は、前開きの衣服に対し、衣服自体の構成の変更を伴うことなく、必要に応じて特定の機能の付与及び／又はサイズの変更を行うことができる衣服用アタッチメントを提供することである。
【課題を解決するための手段】
【０００７】
上記課題を解決するため、請求項１に記載の発明は、衣服用アタッチメントであって、
前開きの衣服の前身頃右側と着脱自在に接続される第一接続手段と、
前開きの衣服の前身頃左側と着脱自在に接続される第二接続手段と、
を備え、
前開きの衣服の前身頃の分割部分の間に、前記第一接続手段及び前記第二接続手段によって着脱自在に取り付けられることを特徴とする。
【０００８】
請求項２に記載の発明は、請求項１に記載の衣服用アタッチメントであって、
前記第一接続手段及び前記第二接続手段は、線ファスナーの務歯を備え、
前記第一接続手段及び前記第二接続手段の少なくとも一方は、線ファスナーのスライダーを備え、
前身頃の分割部分に線ファスナーを備えた衣服の当該線ファスナーの間に、前記第一接続手段及び前記第二接続手段によって着脱自在に取り付けられることを特徴とする。
【０００９】
請求項３に記載の発明は、請求項１又は２に記載の衣服用アタッチメントであって、
衣服に取り付けられた状態で衣服内の空間と衣服外の空間とを繋ぐ開口部が形成され、当該開口部を開閉自在とする開閉手段を備えることを特徴とする。
【００１０】
請求項４に記載の発明は、請求項３に記載の衣服用アタッチメントであって、
前記開口部の位置を変更する位置変更手段を備えることを特徴とする。
【００１１】
請求項５に記載の発明は、請求項４に記載の衣服用アタッチメントであって、
前記開閉手段及び前記位置変更手段は、
複数のスライダーを備え、前記複数のスライダーの間に前記開口部が形成される線ファスナーであることを特徴とする。
【００１２】
請求項６に記載の発明は、請求項１から５のいずれか一項に記載の衣服用アタッチメントであって、
衣服内部に空気を導入する空気導入手段と、
前記空気導入手段に電力を供給する電源手段と、
前記電源手段と、前記空気導入手段と、を接続する接続手段と、
を備えることを特徴とする。
【００１３】
請求項７に記載の発明は、
請求項１から６のいずれか一項に記載の衣服用アタッチメントを備えた衣服である。
【００１４】
請求項８に記載の発明は、請求項７に記載の衣服であって、
前記衣服は空調衣服であることを特徴とする。
【発明の効果】
【００１５】
本発明によれば、前開きの衣服に対し、衣服自体の構成の変更を伴うことなく、必要に応じて特定の機能の付与及び／又はサイズの変更を行うことができる衣服用アタッチメントを提供することができる。
【図面の簡単な説明】
【００１６】
【図１】前身頃の開閉手段を開いた状態における空調衣服の正面図である。
【図２】空調衣服に備えられるファンの概略図である。
【図３】第１実施形態に係る衣服用アタッチメントの正面図である。
【図４】第１実施形態に係る衣服用アタッチメントを空調衣服に取り付けた状態を示す正面図である。
【図５】第１実施形態に係る衣服用アタッチメントにおけるロープ貫通手段の概略図である。
【図６】第２実施形態に係る衣服用アタッチメントを空調衣服に取り付けた状態を示す正面図である。
【図７】第３実施形態に係る衣服用アタッチメントを空調衣服に取り付けた状態を示す正面図である。
【図８】第４実施形態に係る衣服用アタッチメントの背面図である。
【図９】第４実施形態に係る衣服用アタッチメントを空調衣服に取り付けた状態を示す正面図である。
【発明を実施するための形態】
【００１７】
以下、本発明の実施の形態である衣服用アタッチメントについて、図１から図９に基づいて説明する。なお、以下においては、衣服用アタッチメントが取り付けられた衣服を着用者が着用した状態を基準として、着用者の前側を前、着用者の後側を後、着用者の上側を上、着用者の下側を下、着用者の右手側を右、着用者の左手側を左と定めて説明する。
【００１８】
［第１実施形態］
第１実施形態に係る衣服用アタッチメント１００について、図１から図５に基づいて説明する。
【００１９】
第１実施形態に係る衣服用アタッチメント１００は、ハーネス型安全帯に備えられたロープを貫通させるためのロープ貫通手段を前開きの衣服に備えさせるものである。
なお、以下においては衣服用アタッチメント１００が取り付けられる衣服として、着用者の身体を冷却する機能を有する空調衣服２００を例として説明する。
【００２０】
｛ハーネス型安全帯｝
ハーネス型安全帯は、高所での作業の安全性を確保するため、高所での作業を行う作業員が着用するハーネスに、所定の連結器を介して命綱として機能するロープが装着されたものである。
ハーネス型安全帯におけるロープの装着位置としては、様々な位置が考えられるが、本実施形態において主として想定しているのは、着用者の胴前部にロープが装着されるハーネス型安全帯である。
なお、使用されるハーネス型安全帯としては、着用者の胴前部に対応する位置にロープが装着されるものであれば特に限定されず、公知の任意のものを使用可能である。
【００２１】
｛空調衣服｝
次に、衣服用アタッチメント１００が取り付けられる衣服の一例として、空調衣服２００について説明する。
空調衣服２００は、図１に示すように、服本体２１０と、服本体２１０内部に空気を導入するファン２２０，２２０と、ファン２２０，２２０に電力を供給する電源部２３０と、電源部２３０とファン２２０，２２０とを接続する接続ケーブル２４０と、を備え、ファン２２０、２２０によって服本体２１０内に取り込まれた空気を、着用者の身体又は下着の表面に沿って流通させることで、身体から出た汗を蒸発させ、蒸発する際の気化熱により身体を冷却するものである。
【００２２】
（服本体）
服本体２１０は、図１に示すように、通気性のない又はファン２２０，２２０による空気の導入によって膨らませることができる程度の通気性を有するシート状部材によって、着用者の胴部及び腕部を覆う形状に形成されている。図１においては、服本体２１０をブルゾン型の上衣の形状に形成しているが、服本体２１０の形状はこれに限られず、例えば着用者の胴部のみを覆うベスト型に形成してもよい。ただし、衣服用アタッチメント１００を取り付けるため、前身頃が中央部で左右に分割された前開き型に形成されている必要がある。
服本体２１０は、第一開閉手段２１１と、第二開閉手段２１２と、空気漏れ防止手段２１３と、ファン取付部２１４，２１４と、襟部空気排出部２１５と、袖部空気排出部２１６，２１６と、電源部保持手段２１７と、を備え、ファン取付部２１４，２１４からファン２２０，２２０によって取り込まれた外気が、襟部空気排出部２１５及び袖部空気排出部２１６，２１６から排出されるように構成されている。
【００２３】
（第一開閉手段及び第二開閉手段）
第一開閉手段２１１及び第二開閉手段２１２は、服本体２１０を前開きとし、空調衣服２００を着用する際に、服本体２１０の前部を開閉するためのものであり、図１に示すように、服本体２１０の前身頃の分割部分において、右側に第一開閉手段２１１が備えられ、左側に第二開閉手段２１２が備えられ、これらが着脱自在となるように構成されている。第一開閉手段２１１及び第二開閉手段２１２としては、例えば、図１に示すように一般的な線ファスナーが用いられる。
図１においては、線ファスナーの務歯に加えて、スライダー、箱及び箱棒が第二開閉手段２１２に備えられ、線ファスナーの務歯に加えて、蝶棒が第一開閉手段２１１に備えられた場合につき図示したが、これに限られず、反対に、線ファスナーの務歯に加えて、スライダー、箱及び箱棒が第一開閉手段２１１に備えられ、線ファスナーの務歯に加えて、蝶棒が第二開閉手段２１２に備えられていてもよい。
【００２４】
（空気漏れ防止手段）
空気漏れ防止手段２１３は、図１に示すように、服本体２１０下部に備えられた、服本体２１０と着用者の身体との間の空間内の空気が服本体２１０の裾部から外部に漏れることを防止するための手段であり、例えば、服本体２１０の下部の端部付近に、ゴム紐等の伸縮性のある部材を、着用者の身体を周回するように備えることによって形成される。空調衣服２００の着用時においては、空気漏れ防止手段２１３によって、服本体２１０の裾部が絞り込まれて着用者の身体に密着し、服本体２１０下部から空気が外部に漏れることを防止することができる。
なお、服本体２１０が裾部が絞り込まれた形状に形成され、裾部からの空気の流出量が僅かである場合、必ずしも空気漏れ防止手段２１３を備えずともよい。
【００２５】
（ファン取付部）
ファン取付部２１４、２１４は、図１に示すように、服本体２１０の服地に形成された開口孔２１４ａ，２１４ａと、開口孔２１４ａ，２１４ａの周囲を補強する開口孔補強部材２１４ｂ，２１４ｂと、からなり、ファン２２０，２２０が取り付けられる。
２つのファン取付部２１４，２１４は、図１に示すように、服本体２１０の後身頃において、上下方向に同一の高さに形成されている。
なお、ファン取付部２１４，２１４が形成される位置としては、上記の位置に限られず、服本体２１０の側面、前面等に形成することも可能である。また、ファン取付部２１４が形成される個数は、２か所に限られず、これより少数又は多数のファン取付部２１４を形成し、これに対応した数のファン２２０を備えてもよい。
【００２６】
開口孔２１４ａ，２１４ａは、図１に示すように、服本体２１０の服地の着用者の腰の左右に対応する位置に形成された、空調衣服２００の着用時において、外部と、服本体２１０と着用者の身体との間の空間と、を繋ぐこととなる孔部である。
【００２７】
開口孔補強部材２１４ｂ，２１４ｂは、例えばプラスチック等によって形成された扁平な環状の部材であり、中心に開口孔２１４ａ，２１４ａと大きさが略一致する孔部を有する。図１に示すように、開口孔補強部材２１４ｂ，２１４ｂは、当該孔部が開口孔２１４ａ，２１４ａに重なるように、服本体２１０の内面側に取り付けられる。これによって、服本体２１０の開口孔２１４ａ，２１４ａ周辺が補強され、ファン２２０，２２０を開口孔２１４ａ，２１４ａに取り付け易くなる。
開口孔補強部材２１４ｂ，２１４ｂの服本体２１０への取り付けには、縫合、接着等任意の方法を用いることができ、また、開口孔補強部材２１４ｂ，２１４ｂを服本体２１０の内面側から覆う裏地が備えられていてもよい。
【００２８】
（襟部空気排出部）
襟部空気排出部２１５は、図１に示すように、ファン２２０、２２０によってファン取付部２１４、２１４から導入された空気を、着用者の身体又は下着に沿って流通させた後に排出するため、着用者の首と服本体２１０の襟部の端部との間に形成された開口部である。
【００２９】
（袖部空気排出部）
袖部空気排出部２１６、２１６は、図１に示すように、ファン２２０、２２０によってファン取付部２１４、２１４から導入された空気を、着用者の身体又は下着に沿って流通させた後に排出するため、着用者の腕と服本体２１０の袖部の端部との間に形成された開口部である。
【００３０】
（電源部保持手段）
電源部保持手段２１７は、図１に示すように、服本体２１０の内面側に形成されたポケットであり、電源部２３０が収納される。図１においては、電源部保持手段２１７が、服本体２１０の前身頃の左側の下方の位置に備えられた場合について図示したが、これに限られず、服本体２１０の内面側の任意の位置に備えることが可能である。
なお、電源部保持手段２１７としては、必ずしもポケットを用いる必要はなく、電源部２３０を服本体２１０に着脱自在に装着することが可能であれば、任意の構成を採用することができる。さらに、服本体２１０に電源部保持手段２１７を備えず、例えば着用者のズボンのベルト等に電源部２３０をクリップ等を用いて取り付けることにより、電源部２３０が服本体２１０に装着されないようにすることも可能である。また、空調衣服２００の内側に着用したハーネス型安全帯のベルトの所定の位置に、電源部２３０をクリップ等を用いて取り付けてもよい。
【００３１】
（ケーブル保持手段）
ケーブル保持手段２１８、２１８は、接続ケーブル２４０を、服本体２１０の内面側に保持するための手段であり、例えば、接続ケーブル２４０を挿通可能な開口部を有し、当該開口部に接続ケーブル２４０を挿通させることによって、これを保持することができるように構成されている。
【００３２】
ケーブル保持手段２１８、２１８としては、接続ケーブル２４０を服本体２１０内面側において所定の位置に保持することができれば、種々の形状及び材料のものを使用可能であり、例えば、一般的なベルト通しのように、縦長の布を上下２カ所において縫い付けることにより形成することができる。また、配置位置も、図１に示すものに限られない。
【００３３】
（ファン）
ファン２２０，２２０は、図１及び図２に示すように、ファン取付部２１４，２１４に取り付けられ、開口孔２１４ａ，２１４ａを通して、服本体２１０と着用者の身体との間の空間に空気を導入するためのものである。
ファン２２０，２２０には、電源部２３０より、接続ケーブル２４０を通じて必要な電力が供給される。
【００３４】
ファン２２０，２２０としては、ファン取付部２１４、２１４に固定され、服本体２１０内部に空気を導入できるものであれば、任意の構成を採用可能であるが、例えば、図２に示すように、ファン本体２２１と、これを服本体２１０に固定するためのリング状の取付けリング２２２と、を備える。
【００３５】
ファン本体２２１は、内部にプロペラ（不図示）とプロペラを回転させるモーター（不図示）とを収納し、図２に示すように、ファン２２０、２２０の使用時において空気が取り込まれる側を構成する空気取込部２２１ａと、ファン２２０、２２０の使用時において空気が送出される側を構成する空気送出部２２１ｂと、空気取込部２２１ａと空気送出部２２１ｂとの間の筒状の連結部である筒状部２２１ｃと、筒状部２２１ｃの空気取込部２２１ａ側の端部から筒状部２２１ｃの側面と略垂直な方向に突出するフランジ部２２１ｄとを有する。筒状部２２１ｃは、その中心軸に垂直な平面で切った際の断面の外形が円形となる円筒状に形成され、その外径は、開口孔２１４ａ，２１４ａの直径と同一か極僅かに小さくなるように形成されている。
【００３６】
また、ファン本体２２１は、空気送出部２２１ｂ側の所定の位置に、接続ケーブル２４０と接続される第一接続端子２２１ｅを有する。第一接続端子２２１ｅは、接続ケーブル２４０を接続し、電源部２３０から電力の供給を受けることができる端子であれば、その具体的な構成は任意である。
【００３７】
取付けリング２２２は、ファン本体２２１をファン取付部２１４に取り付けるためのリング状の部材であり、その内径が筒状部２２１ｃの外形と同一か、極僅かに大きくなるように形成されている。
【００３８】
筒状部２２１ｃの外面と、取付けリング２２２の内面と、には、例えば、取付けリング２２２の内面側に凸部が形成され、筒状部２２１ｃの外面側に当該凸部と係合する凹部を形成することにより、係止手段（不図示）が形成されている。
【００３９】
ファン２２０，２２０を服本体２１０に取り付ける際には、図２に示すように、ファン本体２２１の空気送出部２２１ｂ側を、開口孔２１４ａに服本体２１０の外面側から挿入して、フランジ部２２１ｄが、服本体２１０の開口孔２１４ａ周囲の部分と接するようにする。次に、取付けリング２２２を、服本体２１０の内面側から筒状部２２１ｃの外側に差し込むことにより、フランジ部２２１ｄと取付けリング２２２とによって、服本体２１０の服地の開口孔２１４ａ周囲の部分及び開口孔補強部材２１４ｂの孔部の周囲の部分を挟み込み、その状態で係止手段によって取付けリング２２２をファン本体２２１に固定する。
これによって、ファン２２０を服本体２１０に固定することができる。
【００４０】
（電源部）
電源部２３０は、ファン２２０，２２０に電力を供給するための部材であり、例えば、安全保護回路が付加されたリチウムイオン組電池が内蔵され、接続ケーブル２４０を通じてファン２２０，２２０と接続するための、第二接続端子（不図示）を備える。
第二接続端子は、接続ケーブル２４０を接続し、ファン２２０，２２０に電力を供給することができる端子であれば、その具体的な構成は任意である。
また、図１に示すように、本実施形態においては、電源部２３０は、電源部保持手段２１７としてのポケットに収納されているが、上記のように電源部２３０を保持するための手段はこれに限られない。
【００４１】
電源部２３０には、制御手段（不図示）が備えられ、着用者の操作に対応して、複数段階の強度でファンに電力を供給できるようになっている。
【００４２】
制御手段は、例えば、リチウムイオン組電池等から供給される電力を複数段階の強度に変換する電力変換回路（不図示）と、電源部２３０の電池の残量を測定する残量測定回路（不図示）と、電力変換回路に強度を指示する強度指示回路（不図示）と、からなる。
【００４３】
また、電源部２３０は、例えばＬＥＤ等からなり、ファン２２０，２２０の電源のオン／オフや、供給している電力の強度等を着用者に表示する表示手段（不図示）と、例えばタクタイルスイッチからなり、電源のオン／オフの切り替え、ファン２２０，２２０に供給する電力の強度の切り替え等の操作に使用される操作手段（不図示）と、を備える。
【００４４】
これによって、着用者が表示手段の表示を確認しつつ、操作手段を操作することで、制御手段によって、ファン２２０、２２０の電源のオン・オフや、電源部２３０からファン２２０，２２０に供給される電力の強度等を切り替えることができる。
【００４５】
なお、制御手段、表示手段及び操作手段は、電源部２３０に備えられる場合に限られず、例えば、これらを備える独立した制御部を構成し、接続ケーブル２４０の、電源部２３０とファン２２０，２２０との間の所定の位置に配置されていてもよい。
【００４６】
（接続ケーブル）
接続ケーブル２４０は、電源部２３０とファン２２０，２２０とを接続するケーブルである。接続ケーブル２４０を通じて、電源部２３０からファン２２０，２２０に対して、ファン２２０，２２０の稼働に必要な電力が供給される。
【００４７】
接続ケーブル２４０は、一方の端部に、電源部に備えられた第二接続端子と接続するための第三接続端子（不図示）を有し、他方の端部は二股に枝分かれし、それぞれの端部に、ファン２２０，２２０に備えられた第一接続端子２２１ｅ，２２１ｅと接続するための第四接続端子（不図示）を有し、図１に示すように、電源部２３０と、ファン２２０，２２０とを接続する。
なお、接続ケーブル２４０は、電源部２３０からファン２２０，２２０に対して、ファン２２０，２２０の稼働に必要な電力を供給できるものであればよく、その具体的な構成は任意である。
【００４８】
接続ケーブル２４０は、図１に示すように、ケーブル保持手段２１８、２１８によって、服本体２１０の内面側に保持されている。
【００４９】
｛衣服用アタッチメントの構成｝
第１実施形態に係る衣服用アタッチメント１００は、図３及び図４に示すように、上下方向に長い矩形状に形成され、右端部に前開きの衣服の前身頃右側と接続される第一接続手段１１０を備え、左端部に前開きの衣服の前身頃左側と接続される第二接続手段１２０を備え、左右方向中央部に、ハーネス型安全帯のロープを貫通させるためのロープ貫通手段１３０を備える。
【００５０】
衣服用アタッチメント１００の材料としては、任意のシート状部材を用いることができるが、空調衣服２００に接続されて使用される場合には、通気性を有しない又はファン２２０，２２０による空気の導入によって服本体２１０を膨らませる際の妨げとならない程度の通気性を有するシート状部材によって形成される必要がある。
また、衣服用アタッチメント１００は、服本体２１０の内側の密閉性を確保するため、図４に示すように、上下方向に服本体２１０の前身頃の全体に亘る長さを有することが好ましい。
左右方向の幅は、ロープ貫通手段１３０を形成できる幅を確保できれば任意であるが、これが取り付けられる衣服の胴周囲を過度に拡張しないように、ロープ貫通手段１３０を形成できる範囲で、できるだけ左右方向に短く形成されていることが望ましい。ただし、左右方向に所定の幅を有するようにすることで、後述の第３実施形態のように、空調衣服２００のサイズを調整する機能を兼ねてもよい。
【００５１】
（第一接続手段及び第２接続手段）
第一接続手段１１０及び第二接続手段１２０としては、衣服用アタッチメント１００が取り付けられる衣服に合わせて任意の構成を採用可能であるが、図１に示す空調衣服２００のように、前身頃を開閉するための第一開閉手段２１１及び第二開閉手段２１２として線ファスナーを用いている場合には、第一接続手段１１０及び第二接続手段１２０としても線ファスナーを用いることとなる。
【００５２】
すなわち、図３及び図４に示すように、第一接続手段１１０として、第一開閉手段２１１と着脱自在となる線ファスナーを用い、第二接続手段１２０として、第二開閉手段２１２と着脱自在となる線ファスナーを用いることで、衣服用アタッチメント１００を、空調衣服２００の前身頃において、第一開閉手段２１１と、第二開閉手段２１２との間に装着することが可能となる。
【００５３】
この場合、図１に示すように、空調衣服２００において、第一開閉手段２１１に、線ファスナーの務歯に加えて、蝶棒が備えられ、第二開閉手段２１２に、線ファスナーの務歯に加えて、スライダー、箱及び箱棒が備えられた場合には、第一接続手段１１０が線ファスナーの務歯に加えて、スライダー、箱及び箱棒を備え、第二接続手段１２０が、線ファスナーの務歯に加えて、蝶棒を備えることによって、第一接続手段１１０と第一開閉手段２１１とを着脱自在とし、かつ第二接続手段１２０と第二開閉手段２１２とを着脱自在とすることができる。
反対に、空調衣服２００において、第一開閉手段２１１に、線ファスナーの務歯に加えて、スライダー、箱及び箱棒が備えられ、第二開閉手段２１２に、線ファスナーの務歯に加え、蝶棒が備えられた場合には、第一接続手段１１０が、線ファスナーの務歯に加え、蝶棒を備え、第二接続手段１２０が、線ファスナーの務歯に加えて、スライダー、箱及び箱棒を備えることとなる。
【００５４】
また、第一接続手段１１０及び第二接続手段１２０は、上下方向に第一開閉手段２１１及び第二開閉手段２１２と同一の長さを有し、第一接続手段１１０が第一開閉手段２１１の全体と接続され、第二接続手段１２０が第二開閉手段２１２の全体と接続されることが望ましい。
すなわち、この場合、第一接続手段１１０は、第二開閉手段２１２と同一の構成となり、第二接続手段１２０は、第一開閉手段２１１と同一の構成となる。
【００５５】
なお、空調衣服２００において、第一開閉手段２１１及び第二開閉手段２１２として線ファスナー以外の構成を用いる場合、第一接続手段１１０及び第二接続手段１２０も、これに合わせた構成とする必要がある。
例えば、第一開閉手段２１１及び第二開閉手段２１２が、面ファスナーであれば、第一接続手段１１０としては、第一開閉手段２１１と接続可能な面ファスナーが用いられ、第二接続手段１２０としては、第二開閉手段２１２と接続可能な面ファスナーが用いられる。
また、例えば、第一開閉手段２１１が複数のボタン、第二開閉手段２１２が複数のボタン孔であれば、第一接続手段１１０としては、第一開閉手段２１１と接続可能な複数のボタン孔が用いられ、第二接続手段１２０としては、第二開閉手段２１２と接続可能な複数のボタンが用いられる。
ただし、接続強度や密閉性を考慮すると、線ファスナーが用いられることが最も好ましい。
【００５６】
（ロープ貫通手段）
ロープ貫通手段１３０は、ハーネス型安全帯の着用者の胴前部に対応する位置に接続されたロープを引き出すための貫通孔である。
【００５７】
ロープ貫通手段１３０は、図３及び図４に示すように、衣服用アタッチメント１００の左右方向中央部であり、上下方向において中央部よりもやや上部となる位置に備えられ、図３から図５に示すように、開閉孔部１３１と、ロープ挿通部１３２と、空気漏れ防止手段１３３と、からなる。
【００５８】
開閉孔部１３１は、図３及び図４に示すように、衣服用アタッチメント１００の左右方向中央部であり、上下方向において中央部よりもやや上部となる位置に形成された上下方向の切れ目を開閉自在とすることにより形成されている。開閉孔部１３１を開閉自在とする手段としては、例えば、線ファスナーを用いることができる。
【００５９】
ロープ挿通部１３２は、図３から図５に示すように、一方の端部が開閉孔部１３１を囲むように衣服用アタッチメント１００の内面側、すなわち衣服に取り付けられた状態において着用者に向く側に接合された筒状に形成されている。また、他方の端部に空気漏れ防止手段１３３が備えられている。
すなわち、開閉孔部１３１及びロープ挿通部１３２によって、衣服用アタッチメント１００が空調衣服２００に取り付けられた状態で空調衣服２００内の空間と空調衣服２００外の空間とを繋ぐ開口部が形成されることとなる。
【００６０】
空気漏れ防止手段１３３は、図５に示すように、ロープ挿通部１３２の開閉孔部１３１の周囲に接続されているのとは反対側の端部に、２カ所の引出口１３３ｂ、１３３ｂを有する紐通し部１３３ａを形成し、紐通し部１３３ａに、これを一周する長さよりも長い紐１３３ｃを通し、紐１３３ｃの引出口１３３ｂ，１３３ｂから外部に出ている２つの端部に、コードストッパー１３３ｄを備えることによって、形成されている。
これによって、紐１３３ｃの両端部を引っ張った上で、コードストッパー１３３ｄを、引出口１３３ｂ、１３３ｂ付近に固定することで、ロープ挿通部１３２の開閉孔部１３１の周囲に接続されているのとは反対側の端部を、ハーネス型安全帯のロープを通した状態で閉塞することが可能となる。すなわち、空気漏れ防止手段１３３が、本件特許発明における開閉手段として機能する。
【００６１】
ロープ貫通手段１３０は、これを使用しない場合には、ロープ挿通部１３２及び空気漏れ防止手段１３３を、開閉孔部１３１を介して衣服用アタッチメント１００の内面側に押し込み、開閉孔部１３１を閉じることによって、衣服用アタッチメント１００の内面側、すなわち空調衣服２００に衣服用アタッチメント１００が接続された状態における服本体２１０の内面側に収納することができる。また、ロープ貫通手段１３０を使用する際には、開閉孔部１３１を開けて、ロープ挿通部１３２及び空気漏れ防止手段１３３を引き出せばよい。
【００６２】
｛衣服用アタッチメントの効果｝
ハーネス型安全帯のロープを空調衣服２００の前側から引き出すためのロープ貫通手段は、着用者の胴前方側にロープが接続されるハーネス型安全帯の上に空調衣服２００を着用する場合という限定的な場合に必要となるものである。
そうであるにもかかわらず、これが備えられた専用の空調衣服２００を個別に用意することは、空調衣服２００の製作者及びこれを着用するユーザの両者にとって大きな負担となる。また、着用者の胴前方側にロープが接続されるハーネス型安全帯の上に空調衣服２００を着用する場合以外においては、このようなロープ貫通手段は却って着用者の邪魔になる場合がある。
【００６３】
第１実施形態に係る衣服用アタッチメント１００によれば、第一接続手段１１０及び第二接続手段１２０を用いて、これを服本体２１０の第一開閉手段２１１及び第二開閉手段２１２の間に接続することで、着用者の胴前方側にロープが接続されるハーネス型安全帯の上に着用される場合にのみ、空調衣服２００の前身頃にロープ貫通手段１３０を備えることができる。これによって、専用の空調衣服を用意せずとも、着用者の胴前方側にロープが接続されるハーネス型安全帯に対応することが可能となる。
また、着用者の胴前方側にロープが接続されるハーネス型安全帯の上に着用される場合以外においては、衣服用アタッチメント１００を空調衣服２００から取り外すことができることから、ロープ貫通手段が、通常時の空調衣服２００の使用の妨げとなることもない。
【００６４】
また、ロープ貫通手段１３０には空気漏れ防止手段１３３が備えられ、ロープ挿通部１３２の開閉孔部１３１の周囲に接続されているのとは反対側の端部を、ハーネス型安全帯のロープを通した状態で閉塞することができることから、ハーネス型安全帯のロープを挿通させても、空調衣服２００の服本体２１０内の空間の密閉性を悪化させることを防止できる。
【００６５】
なお、本実施形態においては、衣服用アタッチメント１００が取り付けられる衣服として、空調衣服２００を例に挙げて説明したが、衣服用アタッチメント１００を取り付けることができる衣服はこれに限られず、前開きの衣服であれば、その他の衣服に取り付け、同様の効果を得ることが可能である。
【００６６】
ただし、通常の衣服においては、衣服の上にハーネス型安全帯を装着することも可能であるのに対して、空調衣服２００においては、その上にハーネス型安全帯を装着した場合、服本体２１０の膨張が妨げられ、服本体２１０内において空気が十分に流通せず、冷却効率が悪化するおそれがある。したがって、空調衣服２００をハーネス型安全帯と共に使用する場合には、ハーネス型安全帯の上に空調衣服２００を着用する必要がある。
この点から、衣服用アタッチメント１００は、その他の衣服にも使用できるものの、空調衣服２００において特に必要性が高いものであるということができる。
【００６７】
［第２実施形態］
第２実施形態に係る衣服用アタッチメント１００Ａについて、図６に基づいて説明する。なお、第１実施形態に係る衣服用アタッチメント１００と同一の部分については、同一の符号を付して説明を省略する。
【００６８】
第２実施形態に係る衣服用アタッチメント１００Ａは、例えば草刈機、消毒液の散布に用いられる噴霧器等を使用者が持つ為のベルトや、車のシートベルト等のベルトを引き出すための貫通手段を、前開きの衣服に備えるものである。
なお、以下においては、衣服用アタッチメント１００Ａが取り付けられる衣服として、第１実施形態と同様、空調衣服２００を例として説明する。
【００６９】
｛衣服用アタッチメントの構成｝
衣服用アタッチメント１００Ａは、図６に示すように、第１実施形態におけるロープ貫通手段１３０に代わって、ベルト貫通手段１４０を備えたものである。この点を除いて、第１実施形態に係る衣服用アタッチメント１００と同様であり、上下方向に長い矩形状に形成され、右側に前開きの衣服の前身頃右側と接続される第一接続手段１１０を備え、左側に前開きの衣服の前身頃左側と接続される第二接続手段１２０を備える。
【００７０】
（ベルト貫通手段）
ベルト貫通手段１４０は、図６に示すように、衣服用アタッチメント１００Ａの左右方向中央部に上下方向の切れ目を形成した上で、当該切れ目を線ファスナーによって着脱自在とすることによって形成されている。
【００７１】
具体的には、ベルト貫通手段１４０は、図６に示すように、切れ目の右側に備えられた右務歯１４１、切れ目の左側に形成された左務歯１４２、並びに線ファスナーを開閉させるため上下方向に摺動する二つのスライダー、すなわち上部スライダー１４３及び下部スライダー１４４を備える。
ベルト貫通手段１４０は、上部スライダー１４３の上方及び下部スライダー１４４の下方において、右務歯１４１と左務歯１４２とが接続され、上部スライダー１４３と下部スライダー１４４との間において右務歯１４１と左務歯１４２とが離れ、衣服用アタッチメント１００Ａが空調衣服２００に取り付けられた状態で空調衣服２００内の空間と空調衣服２００外の空間とを繋ぐ開口部が形成されるように構成されている。
これによって、上部スライダー１４３及び下部スライダー１４４を動かすことによって、その間に形成される開口部の位置を上下方向に動かすことができ、かつベルトを通した状態で、当該開口部を閉塞することができる。すなわち、右務歯１４１、左務歯１４２、上部スライダー１４３及び下部スライダー１４４が、本件特許発明における開閉手段及び位置変更手段として機能する。
【００７２】
なお、ベルト貫通手段を構成する切れ目は、図６に示すように、衣服用アタッチメント１００Ａの上端部及び下端部を避けて形成されていてもよいし、上端部及び下端部に達し、衣服用アタッチメント１００Ａを左右に２分するように形成されていてもよい。
衣服用アタッチメント１００Ａが左右に２分される場合、切れ目の右側において、務歯に加えて、上端部及び下端部に蝶棒を備え、切れ目の左側において、務歯に加えて、二つのスライダー並びに上端部及び下端部に箱及び箱棒を備えることによって、切れ目の左右を上側のスライダーの上方及び下側のスライダーの下方において接続すると共に、二つのスライダーの間に開口部が形成されるようにする。反対に、切れ目の右側において、務歯に加えて、二つのスライダー並びに上端部及び下端部に箱及び箱棒を備え、切れ目の左側において、務歯に加えて、上端部及び下端部に蝶棒を備えてもよい。
衣服用アタッチメント１００Ａが左右に２分されるように形成されている場合、ベルト貫通手段の開口部にベルトを挿通させる作業をさらに行い易くなる。
さらに、ベルト貫通手段を構成する切れ目は、衣服用アタッチメント１００Ａの上端部又は下端部のいずれかにのみ達するように形成されていてもよい。
【００７３】
｛衣服用アタッチメントの効果｝
ベルトを空調衣服２００の前側から引き出すためのベルト貫通手段は、例えば草刈機、消毒液の散布に用いられる噴霧器等を使用者が持つ為のベルトや、車のシートベルト等のベルトの上に空調衣服２００を着用する場合という限定的な場合に必要となるものである。
そうであるにもかかわらず、これが備えられた専用の空調衣服２００を個別に用意することは、空調衣服２００の製作者及びこれを着用するユーザの両者にとって大きな負担となる。また、上記のようなベルトの上に空調衣服２００を着用する場合以外においては、このようなベルト貫通手段は却って着用者の邪魔になる場合がある。
【００７４】
第２実施形態に係る衣服用アタッチメント１００Ａによれば、上記のようなベルトの上に着用される場合にのみ、空調衣服２００に衣服用アタッチメント１００Ａを取り付けることで、ベルト貫通手段１４０の上部スライダー１４３と、下部スライダー１４４との間に形成される開口部によって、上記のようなベルトを、空調衣服２００の服本体２１０内部と外部との間で貫通させることができる。これによって、専用の空調衣服を用意せずとも、上記のようなベルトの上に空調衣服２００を着用することが可能となる。
また、上記のようなベルトの上に着用される場合以外においては、衣服用アタッチメント１００Ａを空調衣服２００から取り外すことができることから、ベルト貫通手段が、通常時の空調衣服２００の使用の妨げとなることもない。
【００７５】
また、衣服用アタッチメント１００Ａによれば、上部スライダー１４３及び下部スライダー１４４を動かすことによって、その間に形成される開口部の位置及び大きさを変えることができる。
例えば草刈機、消毒液の散布に用いられる噴霧器等を使用者が持つ為のベルトや、車のシートベルト等のベルトは、その具体的構成や、具体的な使用方法等によって、これを挿通させるために必要な開口部の位置及び大きさが様々であるが、本実施形態によれば、上部スライダー１４３及び下部スライダー１４４を上下に動かし、ベルトを挿通させるための開口部の位置及び大きさを調整することで、上記のような様々なベルトに対応することが可能となる。
【００７６】
また、上部スライダー１４３及び下部スライダー１４４を動かし、その間に形成される開口部の位置及び大きさを調整することで、上部スライダー１４３と下部スライダー１４４との間の開口部を、ベルトを通した状態で閉塞することができることから、ベルトを挿通させても、空調衣服２００の服本体２１０内の空間の密閉性を悪化させることを防止できる。
【００７７】
なお、本実施形態においては、衣服用アタッチメント１００Ａが取り付けられる衣服として、空調衣服２００を例に挙げて説明したが、衣服用アタッチメント１００Ａを取り付けることができる衣服はこれに限られず、前開きの衣服であれば、その他の衣服に取り付け、同様の効果を得ることが可能である。
【００７８】
ただし、通常の衣服においては、衣服の上に上記のようなベルトを装着することも可能であるのに対して、空調衣服２００においては、その上にベルトを装着した場合、服本体２１０の膨張が妨げられ、服本体２１０内において空気が十分に流通せず、冷却効率が悪化するおそれがある。したがって、空調衣服２００を上記のようなベルトと共に使用する場合には、ベルトの上に空調衣服２００を着用する必要がある。
この点から、衣服用アタッチメント１００Ａは、その他の衣服にも使用できるものの、空調衣服２００において特に必要性が高いものであるということができる。
【００７９】
［第３実施形態］
第３実施形態に係る衣服用アタッチメント１００Ｂについて、図７に基づいて説明する。なお、第１実施形態に係る衣服用アタッチメント１００と同一の部分については、同一の符号を付して説明を省略する。
【００８０】
第３実施形態に係る衣服用アタッチメント１００Ｂは、前開きの衣服について、そのサイズを調整するものである。
なお、以下においては、衣服用アタッチメント１００Ｂが取り付けられる衣服として、第１実施形態と同様、空調衣服２００を例として説明する。
【００８１】
｛衣服用アタッチメントの構成｝
衣服用アタッチメント１００Ｂは、図７に示すように、第１実施形態におけるロープ貫通手段１３０を備えず、開口部を有しないものである。この点を除いて、第１実施形態に係る衣服用アタッチメント１００と同様であり、上下方向に長い矩形状に形成され、右側に前開きの衣服の前身頃右側と接続される第一接続手段１１０を備え、左側に前開きの衣服の前身頃左側と接続される第二接続手段１２０を備える。
【００８２】
衣服用アタッチメント１００Ｂの左右方向の長さは、空調衣服２００の服本体２１０を胴周方向に拡張する長さに応じて定められる。
また、服本体２１０の内側の密閉性を確保するため、衣服用アタッチメント１００Ｂは、上下方向に服本体２１０の前身頃の全体に亘る長さを有することが好ましい。
【００８３】
｛衣服用アタッチメントの効果｝
空調衣服２００の着用者の体型は多岐にわたり、特に胴周の長さは個人差が大きいため、あらゆる体型に合わせた衣服を個別に作成することは困難である。
衣服用アタッチメント１００Ｂによれば、空調衣服２００と、左右方向の長さが異なる複数種類の衣服用アタッチメント１００Ｂを組み合わせることで、空調衣服２００の服本体２１０の胴周囲の長さを調節でき、単一の空調衣服２００によって、様々な体型の着用者に対応することが可能となる。これによって、衣服の製作者は、商品として展開するサイズ数を抑えることができ、着用者は、自らに合ったサイズの衣服を着用することができる。
【００８４】
なお、本実施形態においては、衣服用アタッチメント１００Ｂが取り付けられる衣服として、空調衣服２００を例に挙げて説明したが、衣服用アタッチメント１００Ｂを取り付けることができる衣服はこれに限られず、前開きの衣服であれば、その他の任意の衣服に取り付け、同様の効果を得ることが可能である。
【００８５】
［第４実施形態］
第４実施形態に係る衣服用アタッチメント１００Ｃについて、図８及び図９に基づいて説明する。なお、第１実施形態に係る衣服用アタッチメント１００と同一の部分については、同一の符号を付して説明を省略する。
【００８６】
第４実施形態に係る衣服用アタッチメント１００Ｃは、前開きの衣服に、空調衣服としての機能を付与するものである。
なお、衣服用アタッチメント１００Ｃが取り付けられる衣服としては、通気性のない又は衣服用アタッチメント１００Ｃに備えられたファン１６０による空気の導入によって膨らませることができる程度の通気性を有するシート状部材によって、少なくとも着用者の胴部を覆うように形成され、袖部、襟部等に空気を排出するための開口部が形成されたものであれば、任意の衣服を使用可能である。例えば、一般的なジャンパーやレインコート等を用いることができる。
図９においては、衣服２００Ａ、すなわち、ファン２２０，２２０、電源部２３０及び接続ケーブル２４０を備えず、また服本体２１０Ａが、ファン取付部２１４，２１４、電源部保持手段２１７及びケーブル保持手段２１８、２１８を備えない点を除いて空調衣服２００と同様の構成を有するブルゾン型の衣服を用いる場合につき図示したが、衣服用アタッチメント１００Ｃが取り付けられる衣服はこれに限られない。
【００８７】
なお、衣服用アタッチメント１００Ｃが取り付けられる衣服が、裾部が絞り込まれておらず、裾部と着用者の胴部との間に大きな隙間が生じてしまう場合には、例えばゴムで形成された着用者の胴部を周回するリング等の所定の空気漏れ防止手段を用いて、裾部から空気が外部に漏れることを防止することが望ましい。
【００８８】
｛衣服用アタッチメントの構成｝
衣服用アタッチメント１００Ｃは、図８に示すように、第１実施形態におけるロープ貫通手段１３０に代わって、ファン取付部１５０と、ファン取付部１５０に取り付けられるファン１６０と、ファン１６０に電力を供給する電源部１７０と、ファン１６０と電源部１７０とを接続する接続ケーブル１８０と、電源部１７０を衣服用アタッチメント１００Ｃに取り付けるための電源部保持手段１９０と、を備える。その他の構成は、第１実施形態に係る衣服用アタッチメント１００と同様であり、上下方向に長い矩形状に形成され、右側に前開きの衣服の前身頃右側と接続される第一接続手段１１０を備え、左側に前開きの衣服の前身頃左側と接続される第二接続手段１２０を備える。
なお、図８及び図９においては、ファン１６０が一つのみ取り付けられた場合につき図示したが、ファンの個数はこれに限られず、２か所以上にファン取付部１５０を設け、２個以上のファン１６０を備えてもよい。
【００８９】
（ファン取付部）
ファン取付部１５０は、図８及び図９に示すように、衣服用アタッチメント１００Ｃの左右方向及び上下方向の中央部に備えられ、空調衣服２００におけるファン取付部２１４と同様の構成を有する。すなわち、衣服用アタッチメント１００Ｃに形成された開口孔１５１と、衣服用アタッチメント１００Ｃの内面側、すなわち衣服２００Ａに取り付けられて使用された際に着用者に向く側に取り付けられ、開口孔１５１周辺を補強する開口孔補強部材１５２と、からなる。開口孔補強部材１５２を衣服用アタッチメント１００Ｃの内面側から覆う裏地が備えられていてもよい。
なお、ファン取付部１５０としては、上記のものに限られず、衣服用アタッチメント１００Ｃにファン１６０を取り付けることが可能であれば任意の構成を採用可能である。
【００９０】
（ファン）
ファン１６０は、空調衣服２００におけるファン２２０と同様の構成を有し、図８及び図９に示すように、ファン取付部１５０に取り付けられ、開口孔１５１を通して、衣服用アタッチメント１００Ｃが取り付けられた衣服２００Ａと着用者の身体との間の空間に空気を導入する。すなわち、ファン１６０が本発明における空気導入手段として機能する。
ファン１６０には、電源部１７０より、接続ケーブル１８０を通じて必要な電力が供給される。
【００９１】
（電源部）
電源部１７０は、空調衣服２００における電源部２３０と同一の構成を有し、図８に示すように、電源部保持手段１９０によって衣服用アタッチメント１００Ｃの内面側に保持され、接続ケーブル１８０を通じてファン１６０に電力を供給する。すなわち、電源部１７０が本発明における電源手段として機能する。
【００９２】
（接続ケーブル）
接続ケーブル１８０は、図８に示すように、電源部１７０とファン１６０とを接続するケーブルであり、接続ケーブル１８０を通じて、電源部１７０からファン１６０に対して、ファン１６０の稼働に必要な電力が供給される。すなわち、接続ケーブル１８０が本発明における接続手段として機能する。
【００９３】
接続ケーブル１８０は、ファン１６０と接続される側の端部が二股に枝分かれしていな点を除いて、空調衣服２００における接続ケーブル２４０と同一の構成を有する。
【００９４】
（電源部保持手段）
電源部保持手段１９０は、図８に示すように、空調衣服２００における電源部保持手段２１７と同様、衣服用アタッチメント１００Ｃの内面側に備えられたポケットであり、電源部１７０が収納される。図８においては、電源部保持手段１９０が、衣服用アタッチメント１００Ｃ内面側の、ファン取付部１５０の下方に備えられた場合について図示したが、これに限られず、衣服用アタッチメント１００Ｃ内面側の任意の位置に備えることが可能である。
なお、電源部保持手段１９０としては、空調衣服２００における電源部保持手段２１７と同様、必ずしもポケットを用いる必要はなく、電源部１７０を衣服用アタッチメント１００Ｃ内面側に着脱自在に装着することが可能であれば、任意の構成を採用することができる。さらに、衣服用アタッチメント１００Ｃ内面側に電源部保持手段を備えず、例えば着用者のズボンのベルト等に電源部１７０をクリップ等を用いて取り付けることにより、電源部１７０が衣服用アタッチメント１００Ｃに装着されないようにすることも可能である。
【００９５】
｛衣服用アタッチメントの効果｝
第４実施形態に係る衣服用アタッチメント１００Ｃによれば、一般的な前開きの衣服、例えばジャンパーやレインコートに、上記の空調衣服２００と同様の機能を付与することができる。
なお、衣服用アタッチメント１００Ｃは、空調衣服２００にさらに取り付けられてもよい。この場合、空調衣服２００における冷却機能をさらに強化することができる。
また、衣服用アタッチメント１００Ｃは、さらに第１実施形態におけるロープ貫通手段１３０又は第２実施形態におけるベルト貫通手段１４０を備えていてもよい。この場合、一般的な前開きの衣服に、空調衣服２００と同様の機能を付与し、さらに第１実施形態又は第２実施形態と同様の機能も果たすことが可能となる。
【符号の説明】
【００９６】
１００、１００Ａ、１００Ｂ、１００Ｃ  衣服用アタッチメント
１１０  第一接続手段
１２０  第二接続手段
１３０  ロープ貫通手段
１３３  空気漏れ防止手段（開閉手段）
１４０  ベルト貫通手段
１４１  右務歯（開閉手段、位置変更手段）
１４２  左務歯（開閉手段、位置変更手段）
１４３  上部スライダー（開閉手段、位置変更手段）
１４４  下部スライダー（開閉手段、位置変更手段）
１６０  ファン（空気導入手段）
１７０  電源部（電源手段）
１８０  接続ケーブル（接続手段）
２００  空調衣服
２００Ａ  衣服
【図１】
2019206764.tif 000003
【図２】
2019206764.tif 000004
【図３】
2019206764.tif 000005
【図４】
2019206764.tif 000006
【図５】
2019206764.tif 000007
【図６】
2019206764.tif 000008
【図７】
2019206764.tif 000009
【図８】
2019206764.tif 000010
【図９】
2019206764.tif 000011